(57)【要約】【課題】  排出トレイ上に排出された用紙からユーザの所望する用紙の発見が容易になる画像形成装置を提供する【解決手段】    画像形成装置は、画像を記録する媒体としての用紙を供給する定型紙供給部と、前記用紙とは大きさの異なる用紙を供給可能なロール紙供給部と、定型紙供給部とロール紙供給部とに、選択的に用紙の供給を指示する制御部と、を備える。制御部は、画像情報に基づく画像形成に係る処理の過程における所定時点で、ロール紙供給部に対して用紙の供給を指示し、ロール紙供給部は、縦又は横の少なくとも一方が、画像が形成された用紙よりも大きい用紙を供給する。【選択図】        図４
2008050151.tif 000002
【特許請求の範囲】
【請求項１】
画像を記録する媒体としての用紙を供給する第１供給手段と、
前記用紙とは大きさの異なる用紙を供給可能な第２供給手段と、
前記第１供給手段と第２供給手段とに、選択的に用紙の供給を指示する指示手段と、
印刷対象となる画像情報を取得する取得手段と、
前記取得手段によって取得した前記画像情報に基づく画像を、前記第１供給手段から供給される用紙に形成する画像形成手段と、を備え、
前記指示手段は、前記画像情報に基づく画像形成に係る処理の過程における所定時点で、前記第２供給手段に対して用紙の供給を指示し、
前記第２供給手段は、前記指示手段の指示に応じて、縦又は横の少なくとも一方が、前記第１供給手段が供給し画像が形成された用紙よりも大きい用紙を供給する、
ことを特徴とする画像形成装置。
【請求項２】
前記取得手段は、前記画像情報に基づく画像が形成された用紙を識別するための識別情報を取得し、
前記画像形成手段は、前記所定時点で前記第２供給手段から供給される用紙に前記識別情報を記録する、
ことを特徴とする請求項１に記載の画像形成装置。
【請求項３】
前記画像形成手段は、前記第２供給手段から供給される用紙の大きさ又は前記識別情報の情報量の少なくとも一方に基づいて定められる位置に前記識別情報を記録する、
ことを特徴とする請求項２に記載の画像形成装置。
【請求項４】
前記第２供給手段は、巻取紙を保持する保持手段と、前記巻取紙を切断する切断手段とを備え、当該切断手段によって前記巻取紙を切断して得られる用紙を供給し、
前記切断手段は、前記画像情報に基づく画像が記録される用紙の大きさに基づいて定められる長さに、前記巻取紙を切断する、
ことを特徴とする請求項１乃至３のいずれかに記載の画像形成装置。
【請求項５】
前記保持手段は、前記巻取紙を複数保持し、
前記切断手段は、前記複数の巻取紙から前記巻取紙の残量に基づいて選択される前記巻取紙を切断する、
ことを特徴とする請求項４に記載の画像形成装置。
【請求項６】
前記切断手段は、前記画像情報に基づく画像が記録される前記用紙の排出方向に基づいて定められる長さに、前記巻取紙を切断する、
ことを特徴する請求項４に記載の画像形成装置。
【請求項７】
画像を記録する媒体としての用紙を供給可能な第１供給手段と、前記用紙とは大きさの異なる用紙を供給可能な第２供給手段と、前記第１供給手段が供給する用紙に画像情報に基づく画像を形成する画像形成手段とを備える画像形成装置に接続される情報処理装置に、
前記画像情報に基づく画像形成に係る処理の過程における所定時点で、前記第２供給手段が、前記画像が形成された用紙より、縦又は横の少なくとも一方が大きい用紙を供給するよう指示するステップを実行させるプログラム。
【発明の詳細な説明】
【技術分野】
【０００１】
本発明は、画像形成装置、及びプログラムに関する。
【背景技術】
【０００２】
画像形成装置では、画像が記録された用紙は排出トレイ上に排出され、用紙が複数枚ある場合には、排出トレイ上に重ねて排出される。このような画像形成装置で複数の印刷ジョブに基づく印刷が連続して行われると、多数の用紙が排出トレイで混在してしまい、排出された用紙から所望の用紙を探し出す作業が煩雑化する。
【０００３】
このような不具合を解消するために、従来、印刷処理の過程における所定のタイミング（例えば、用紙の排出開始前や、排出終了後など）で、いわゆる合紙を排出する画像形成装置がある（例えば、特許文献１）。この合紙は、排出トレイに排出された用紙を、印刷ジョブ毎に区切り、利用者は、この合紙を目印として、混在した印刷物から所望の印刷物を探し出すことができる。
【特許文献１】特開平１１−８４９４８号公報
【発明の開示】
【発明が解決しようとする課題】
【０００４】
ところで、目印となる合紙が印刷物と重なってしまうと、所望の印刷物を見つけ出すのが困難になるという問題が生じる。
【０００５】
本発明は、上記課題に鑑みてなされたものであって、その目的は、排出トレイ上に排出された用紙からユーザの所望する用紙の発見が容易になる画像形成装置、及びプログラムを提供することにある。
【課題を解決するための手段】
【０００６】
請求項１に記載の画像形成装置の発明は、画像を記録する媒体としての用紙を供給する第１供給手段と、前記用紙とは大きさの異なる用紙を供給可能な第２供給手段と、前記第１供給手段と第２供給手段とに、選択的に用紙の供給を指示する指示手段と、印刷対象となる画像情報を取得する取得手段と、前記取得手段によって取得した前記画像情報に基づく画像を、前記第１供給手段から供給される用紙に形成する画像形成手段と、を備え、前記指示手段は、前記画像情報に基づく画像形成に係る処理の過程における所定時点で、前記第２供給手段に対して用紙の供給を指示し、前記第２供給手段は、前記指示手段の指示に応じて、縦又は横の少なくとも一方が、前記第１供給手段が供給し画像が形成された用紙よりも大きい用紙を供給する、ことを特徴とする。
【０００７】
請求項２に記載の発明は、上記請求項１に記載の発明において、前記取得手段が、前記画像情報に基づく画像が形成された用紙を識別するための識別情報を取得し、前記画像形成手段が、前記所定時点で前記第２供給手段から供給される用紙に前記識別情報を記録する、ことを特徴とする。
【０００８】
請求項３に記載の発明は、上記請求項２に記載の発明において、前記画像形成手段が、前記第２供給手段から供給される用紙の大きさ又は前記識別情報の情報量の少なくとも一方に基づいて定められる位置に前記識別情報を記録する、ことを特徴とする。
【０００９】
請求項４に記載の発明は、上記請求項１乃至３のいずれかに記載の画像形成装置において、前記第２供給手段が、巻取紙を保持する保持手段と、前記巻取紙を切断する切断手段とを備え、当該切断手段によって前記巻取紙を切断して得られる用紙を供給し、前記切断手段が、前記画像情報に基づく画像が記録される用紙の大きさに基づいて定められる長さに、前記巻取紙を切断する、ことを特徴とする。
【００１０】
請求項５に記載の発明は、上記請求項４に記載の発明において、前記保持手段が、前記巻取紙を複数保持し、前記切断手段が、前記複数の巻取紙から前記巻取紙の残量に基づいて選択される前記巻取紙を切断する、ことを特徴とする。
【００１１】
請求項６に記載の発明は、上記請求項４に記載の発明において、前記切断手段が、前記画像情報に基づく画像が記録される前記用紙の排出方向に基づいて定められる長さに、前記巻取紙を切断する、ことを特徴する。
【００１２】
請求項７に記載のプログラムの発明は、画像を記録する媒体としての用紙を供給可能な第１供給手段と、前記用紙とは大きさの異なる用紙を供給可能な第２供給手段と、前記第１供給手段が供給する用紙に画像情報に基づく画像を形成する画像形成手段とを備える画像形成装置に接続される情報処理装置に、前記画像情報に基づく画像形成に係る処理の過程における所定時点で、前記第２供給手段が、前記画像が形成された用紙より、縦又は横の少なくとも一方が大きい用紙を供給するよう指示するステップを実行させることを特徴とする。
【発明の効果】
【００１３】
請求項１に記載の発明によれば、本構成を有していない場合に比較して、画像が記録された用紙からユーザが所望する用紙を容易に発見できるようになる。
【００１４】
請求項２に記載の発明によれば、本構成を有していない場合に比較して、ユーザは識別情報を参照して、所望の用紙を発見できるようになる。
【００１５】
請求項３に記載の発明によれば、本構成を有していない場合に比較して、適切な位置に識別情報を記録できるようになる。
【００１６】
請求項４に記載の発明によれば、本構成を有していない場合に比較して、画像が記録された用紙より、縦又は横の少なくとも一方が大きい用紙を容易に供給できるようになる。
【００１７】
請求項５に記載の発明によれば、本構成を有していない場合に比較して、巻取紙の残量が足りない場合でも、適切に対応できる。
【００１８】
請求項６に記載の発明によれば、本構成を有していない場合に比較して、第２供給手段が供給する用紙の長さを、画像が記録される用紙の排出方向に応じて、変えることができる。
【００１９】
請求項７に記載の発明によれば、本構成を有していない場合に比較して、画像形成装置において、画像が記録された用紙からユーザが所望する用紙を容易に発見できるようになる。
【発明を実施するための最良の形態】
【００２０】
以下、本発明の一実施の形態について図面を参照しながら説明する。図１は、本発明の一実施の形態に係る画像形成装置１０を含むネットワーク１の構成を示すブロック図である。図１に示すように、ネットワーク１は、画像形成装置１０と、複数のクライアント装置２０とを含んでいる。
【００２１】
クライアント装置２０は、例えば、パーソナルコンピュータであり、画像情報に基づく画像の印刷を指示する印刷指示情報を画像形成装置１０に送信する。
【００２２】
画像形成装置１０は、例えば、プリンタや複合機であり、制御部１１と、記憶部１２と、インターフェース部１３と、複数の定型紙供給部１４と、複数のロール紙供給部１５と、画像形成部１７と、表示部１８と、操作部１９とを含んでいる。
【００２３】
制御部１１は、ＣＰＵ（Central Processing Unit）を含み、記憶部１２に格納されるプログラムを実行し、画像形成装置１０の全体を制御する。例えば、制御部１１は、定型紙供給部１４に用紙の供給を指示し、該用紙に印刷指示情報に基づく画像（以下、印刷画像とする）を形成する処理を実行する。また、制御部１１は、排出トレイ上に積み重なる用紙を、例えば印刷指示情報毎に区切るための合紙を排出する処理を行う。具体的には、印刷画像を形成する処理の過程における所定時点（以下、合紙排出タイミングとする）で、印刷画像が形成された用紙（印刷物）とはサイズの異なる用紙の供給をロール紙供給部１５に指示し、該用紙を合紙として排出する。ここで、合紙排出タイミングは、例えば、印刷物の排出前や、排出後である。また、印刷指示情報が、複数部の印刷物の出力を指示する場合には、合紙排出タイミングは、各部の排出後又は排出前でもよい。制御部１１が実行する処理については、後において詳細に説明する。
【００２４】
記憶部１２は、ＲＡＭ（Random Access Memory）や、ＲＯＭ（Read Only Memory）などを含み、制御部１１によって実行されるプログラムを保持している。
【００２５】
インターフェース部１３は、例えば、ＮＩＣ（Network Interface Card）を含み、クライアント装置２０から受信した印刷指示情報を制御部１１に出力する。
【００２６】
表示部１８は、ディスプレイを含み、制御部１１から受ける指示に従って、情報を表示する。
【００２７】
操作部１９は、例えば、操作ボタンであり、利用者の操作に応じた信号を制御部１１に出力する。
【００２８】
ここで、定型紙供給部１４、ロール紙供給部１５、及び画像形成部１７について説明する。図２は、定型紙供給部１４、ロール紙供給部１５、及び画像形成部１７の構成を示す概略図である。
【００２９】
複数の定型紙供給部１４は、それぞれ、予めサイズの定められた定型用紙（例えば、Ａ４サイズのカット紙や、Ａ３サイズのカット紙など）を保持するトレイ１４ａを備え、制御部１１から受ける指示に応じて、トレイ１４ａから用紙を取り出し、用紙の搬送路に供給する。各トレイ１４ａには、互いに大きさの異なる定型用紙が備えられている。定型紙供給部１４によって供給された用紙は、搬送路に設けられた搬送ローラ１６の駆動によって画像形成部１７まで搬送される。搬送ローラ１６は、画像形成部１７によって印刷画像が形成された定型用紙を、搬送路の下流側に向けて順次搬送し、排出トレイ９に排出する。なお、ここでは、印刷画像が形成された用紙は、印刷画像が表になるよう排出トレイ９に排出される。
【００３０】
複数のロール紙供給部１５は、それぞれ、ロール紙（巻取紙）を保持するホルダ１５ｂと、制御部１１によって指示される長さ（以下、カット長とする）にロール紙を切断する用紙カッタ１５ａとを有している。各ホルダ１５ｂには、互いに横幅の大きさが異なるロール紙が備えられている。用紙カッタ１５ａによって切断された用紙は、搬送ローラ１６によって、搬送路の下流側に搬送され、合紙として排出トレイ９に排出される。
【００３１】
画像形成部１７は、例えば、電子写真方式のプリンタエンジンであり、制御部１１から入力される駆動信号に基づいて動作し、搬送路を通過する定型用紙に印刷画像を形成する。また、画像形成部１７は、後述する制御部１１の処理によって生成される識別情報を示す文字等を合紙に記録する。識別情報は、印刷指示情報に基づく画像が形成された印刷物を識別するための情報であり、例えば、印刷指示情報の受信日時や、印刷指示情報の送信元の情報などである。
【００３２】
ここで、制御部１１が実行する処理について詳細に説明する。図３は、制御部１１の機能ブロック図である。制御部１１は、機能的には、印刷処理部１１ａと、識別情報取得部１１ｂと、設定処理部１１ｃと、ロール紙選択処理部１１ｄと、カット長決定処理部１１ｅと、記録位置特定処理部１１ｆと、合紙排出処理部１１ｇとを含んでいる。
【００３３】
印刷処理部１１ａは、印刷指示情報に基づく印刷画像を、該印刷指示情報で指定された大きさの定型用紙に形成する処理を行う。具体的には、印刷指示情報によって指定される大きさの定型用紙を保持する定型紙供給部１４に、用紙の供給を指示する信号を出力する。また、印刷処理部１１ａは、印刷指示情報に含まれる画像情報に基づいて、印刷画像の基となるビットマップデータを生成する。そして、該ビットマップデータに基づいて、画像形成部１７を駆動させる駆動信号を生成し、該画像形成部１７に出力する。印刷処理部１１ａによる処理の結果、画像情報に基づく画像が形成された印刷物が排出トレイ９上に排出される。
【００３４】
合紙排出処理部１１ｇは、合紙排出タイミングにおいて、後述する処理によって生成されるロール紙情報、カット長情報、記録位置情報、及び識別情報に基づいて、合紙を排出する処理を行う。ここで、ロール紙情報は、複数のロール紙から合紙として排出されるロール紙の種類を特定する情報である。カット長情報は、ロール紙のカット長を特定する情報である。識別情報は、上述したように、排出トレイ９に排出された印刷物を識別するための情報である。記録位置情報は、識別情報を記録するべき合紙上の位置を特定する情報である。合紙排出処理部１１ｇによる合紙の排出処理は、例えば、次のように実行される。
【００３５】
合紙排出処理部１１ｇは、まず、ロール紙情報によって特定されるロール紙を保持するロール紙供給部１５に、ロール紙の供給を指示する信号を入力する。次に、合紙排出処理部１１ｇは、カット長情報で指定されるカット長に応じて決まるタイミングで、用紙カッタ１５ａを駆動させ、指定されたカット長になるようロール紙を切断する。切断されたロール紙は、合紙として搬送ローラ１６によって画像形成部１７まで搬送される。
【００３６】
その後、合紙排出処理部１１ｇは、画像形成部１７を駆動させて、記録位置情報によって指定される合紙上の位置に、識別情報を記録する処理を行う。具体的には、合紙排出処理部１１ｇは、識別情報と記録位置情報とに基づいて、識別情報を示す文字等に対応するビットマップデータを生成し、該ビットマップデータに基づいて、画像形成部１７の駆動信号を生成する。画像形成部１７は、該駆動信号に従って動作し、合紙上の指定された位置に識別情報を示す文字等を記録する。その後、合紙排出処理部１１ｇは、搬送ローラ１６を駆動させて、識別情報が記録された合紙を排出トレイ９まで搬送する。
【００３７】
図４及び図５は、合紙排出処理部１１ｇの処理の結果、排出される合紙の例を示す図である。図４に示す例では、ロール紙情報によって、印刷物Ｐ１（例えば、Ａ４サイズの定型用紙）の横サイズ（用紙の排出方向に対して直交方向の長さ）より幅の大きいロール紙（例えば、Ａ３ロール紙）が合紙Ｐ２として指定されている。また、カット長情報によって、合紙Ｐ２のカット長は印刷物Ｐ１より短くなるよう指定されている。この図に示す例では、印刷物Ｐ１の左側から合紙がはみ出し、当該はみ出した領域Ｅ１（以下、目印領域とする）に識別情報（ここでは、印刷指示情報の受信日時と、その送信元の情報）が記録されている。
【００３８】
図５に示す例は、ロール紙情報によって、印刷物Ｐ３（例えば、Ａ３サイズの定型用紙）の横サイズと等しい幅を有するロール紙（例えば、Ａ３ロール紙）が合紙Ｐ４として指定されている。また、カット長情報によって、カット長は、Ａ３サイズの印刷物より長くなるよう指定されている。この図に示す例では、印刷物から排出方向に目印領域Ｅ２がはみ出し、該目印領域Ｅ２に識別情報が記録されている。
【００３９】
識別情報取得部１１ｂは、合紙の目印領域に記録する識別情報を、印刷指示情報や印刷指示情報に付された各種情報を参照して取得する。
【００４０】
例えば、合紙に記録する識別情報が、印刷指示情報を受信した日時の情報（以下、日時情報とする）である場合には、識別情報取得部１１ｂは、予め日付及び時刻を計時しておいて、印刷指示情報を受信した日時の情報を、日時情報として取得する。また、識別情報が、印刷を指示する利用者名である場合には、印刷指示情報又は当該印刷指示情報に付された送信元アドレスを参照して、これらの情報を取得する。
【００４１】
また、印刷指示情報に基づく処理に対して課金する課金先の情報（以下、課金先情報とする）が印刷指示情報に付されている場合や、出力される印刷物の配布先を示す情報（以下、配布先情報とする）が印刷指示情報に付されている場合には、識別情報取得部１１ｂは、これらの情報を取得して、識別情報としてもよい。
【００４２】
設定処理部１１ｃは、合紙を排出する処理に係る各種設定の選択肢を示す設定画面を表示部１８に表示し、利用者による操作部１９の操作に応じて選択する。ここで、設定画面を表示するタイミングは、例えば、画像形成装置１０が印刷指示情報を受信した時や、画像形成装置１０の電源投入時などである。また、設定処理部１１ｃは、一度利用者によって選択された内容を記憶部１２に格納し、改めて利用者によって設定内容の変更が指示されるまで、先に設定された内容を維持してもよい。
【００４３】
設定処理部１１ｃは、例えば、合紙の排出の有無や、ロール紙を合紙とするか否か、印刷物に対する合紙の目印領域の位置（排出方向に対して左側や、排出方向と同じ側など）、合紙に記録する識別情報の候補を、表示部１８に表示する。識別情報の候補は、例えば、上述した、日時情報や、印刷指示情報を送信した利用者名（以下、利用者情報とする）や、課金先情報や、配布先情報、出力される印刷物の枚数などである。
【００４４】
図６は、設定画面の例を示す図である。この図では、合紙の種類の選択肢（ロール紙及び定型用紙）を表示する合紙種選択部１８ａと、印刷物に対する目印領域の位置の選択肢を表示する目印領域位置選択部１８ｂと、合紙に記録する識別情報の候補を表示する識別情報選択部１８ｃとが表示されている。また、図６の設定画面の例では、合紙に記録する識別情報の文字サイズを選択するための文字サイズ選択部１８ｄが表示されている。さらに、目印領域位置選択部１８ｂに示される選択肢が選択された場合の合紙を示す仮合紙表示部１８ｅが表示されている。
【００４５】
ロール紙選択処理部１１ｄは、印刷物の大きさに基づいて、複数のロール紙から、合紙として排出するロール紙を選択する処理を実行し、当該選択されたロール紙を合紙とする旨のロール紙情報を生成する。ロール紙の選択処理は、例えば、次のように実行される。
【００４６】
ロール紙選択処理部１１ｄは、印刷物より幅の大きいロール紙を選択し、該当するロール紙が複数ある場合には、その中で最も幅の小さいロール紙を合紙として選択する。
【００４７】
また、ロール紙選択処理部１１ｄは、過去に受信した複数の印刷指示情報を参照して、ロール紙を選択してもよい。例えば、制御部１１は、印刷指示情報を受信すると、日時情報に対応付けて、該印刷指示情報を記憶部１２に格納しておく。ロール紙選択処理部１１ｄは、日時情報を参照し、記憶部１２に格納されている複数の印刷指示情報から、取得日時の新しい順に所定数の印刷指示情報を選択する。そして、該所定数の印刷指示情報に基づく印刷物の中で最も大きい印刷物より幅の大きいロール紙を、合紙として選択してもよい。
【００４８】
図７は、ロール紙選択処理部１１ｄの処理の結果、排出される合紙の例を示す図である。なお、図７は、Ａ３サイズの印刷物Ｐ５が出力された後に、Ａ４サイズの印刷物Ｐ６が出力される場合に、排出される合紙の例を示している。この場合、上述したように、ロール紙選択処理部１１ｄは、２サイズの印刷物のうち、大きい方の印刷物Ｐ５より幅の大きいロール紙（例えば、Ａ２ロール紙）を、合紙Ｐ７として選択する。
【００４９】
カット長決定処理部１１ｅは、合紙に記録するべき識別情報の情報量に応じて、合紙として排出するロール紙のカット長を決定する処理を実行し、該カット長を示すカット長情報を生成する。カット長の決定処理は、例えば、次のように実行される。
【００５０】
カット長決定処理部１１ｅは、設定処理部１１ｃの処理で選択された識別情報と、上述した合紙に記録する文字のサイズを示す文字サイズ情報とに基づいて、識別情報を示す文字等に対応したビットマップデータを生成する。そして、該ビットマップデータに基づいて、識別情報の記録に要する目印領域の縦サイズ（排出方向の長さ）をカット長として算出する。
【００５１】
また、カット長決定処理部１１ｅは、識別情報を示す文字等に対応する情報量だけでなく、印刷物の大きさと、その排出方向とに基づいて、カット長を決定してもよい。例えば、印刷物が縦向き（用紙の長手方向が排出方向になる向き）に排出される場合には、カット長決定処理部１１ｅは、識別情報の記録に要する目印領域の縦サイズを算出し、該縦サイズに、印刷物の縦サイズを加算して得られる値をカット長としてもよい。
【００５２】
図８は、この処理の結果、決定されたカット長の合紙の例を示す図である。この図８において、識別情報を示す文字等に対応するビットマップデータの情報量に基づいて、定められる目印領域Ｅ３の縦サイズＬ１に、印刷物の縦サイズＬ２を加算して得られる値がカット長なっている。
【００５３】
なお、ここでは、印刷物が縦向きに排出される場合を例にして説明したが、用紙は横向き（用紙の短手方向が排出方向になる向き）に排出されてもよい。この場合であっても、カット長決定処理部１１ｅは、識別情報の記録に要する目印領域の縦サイズ（排出方向の長さ）を算出し、該縦サイズに、印刷物の縦サイズ（排出方向の長さ）を加算して得られる値をカット長としてもよい。
【００５４】
また、設定処理部１１ｃの処理において、合紙に記録する識別情報が選択されていない場合には、カット長決定処理部１１ｅは、予め定められる最小値を、ロール紙のカット長としてもよい。
【００５５】
記録位置特定処理部１１ｆは、合紙における識別情報の記録位置を特定する記録位置情報を生成する。具体的には、記録位置特定処理部１１ｆは、合紙に設けられた目印領域の位置を示す情報を記録位置情報とする。例えば、設定処理部１１ｃの処理によって、目印領域が排出方向に対して印刷物の左側に位置するように設定されている場合には、排出方向に対して左側であって、印刷物からはみ出る部分を示す情報を記録位置情報とする。
【００５６】
ここで、制御部１１が実行する処理の流れについて説明する。図９は、制御部１１が実行する処理の例を示すフローチャートである。
【００５７】
制御部１１が印刷指示情報を取得すると、設定処理部１１ｃは、利用者によってロール紙が合紙として排出されることが選択されているか否かを判定する（S１０１）。設定処理部１１ｃは、例えば、図６に示す設定画面を表示部１８に表示し、操作部１９から利用者の操作に応じた信号を受けて、ロール紙が合紙として選択されているか否かを判定する。また、既に選択された設定を示す情報が記憶部１２に格納されている場合には、設定処理部１１ｃは、当該情報に基づいて、ロール紙が合紙として排出されることが選択されたか否かを判定してもよい。
【００５８】
ここで、ロール紙が合紙として排出されることが選択されている場合には、ロール紙選択処理部１１ｄは、互いに幅の大きさが異なる複数のロール紙から、合紙として排出するロール紙を選択し、ロール紙情報を生成する（Ｓ１０２）。例えば、上述したように、ロール紙選択処理部１１ｄは、印刷物より幅の大きいロール紙を選択し、該当するロール紙が複数ある場合には、その中で最も幅の小さいロール紙を合紙として選択する。また、ロール紙選択処理部１１ｄは、印刷物より大きい幅を有するロール紙が備えられていない場合には、複数のロール紙のなかで、最も幅の大きいロール紙を選択してもよい。
【００５９】
次に、識別情報取得部１１ｂは、合紙に記録する識別情報を取得する（S１０３）。例えば、識別情報取得部１１ｂは、受信した印刷指示情報、又は印刷指示情報に付された各種情報（例えば、送信元アドレスなど）を参照して、識別情報を取得する。
【００６０】
次に、カット長決定処理部１１ｅは、ロール紙のカット長を決定し、該カット長を示すカット長情報を生成する（Ｓ１０４）。例えば、カット長決定処理部１１ｅは、識別情報の記録に要するロール紙の長さを、カット長とする。また、Ｓ１０２において選択されたロール紙の横サイズが、印刷物の横サイズと同じ、又は印刷物より小さい場合には、カット長決定処理部１１ｅは、図８に示すように、識別情報の記録に要するロール紙の長さＬ１に、印刷物の縦サイズＬ２を加算して得られる値を、カット長としてもよい。これにより、合紙が排出された場合には、図５に示すように、印刷物の排出方向に、合紙の目印領域が設けられることとなる。
【００６１】
次に、記録位置特定処理部１１ｆは、合紙における識別情報の記録位置を特定する記録位置情報を生成する（Ｓ１０５）。具体的には、記録位置特定処理部１１ｆは、合紙の目印領域の位置を示す情報を記録位置情報とする。
【００６２】
合紙排出処理部１１ｇは、生成されたロール紙情報、カット長情報、識別情報、及び記録位置情報に基づいて、ロール紙供給部１５及び画像形成部１７を駆動し、識別情報を記録した合紙を排出する（Ｓ１０６）。その後、印刷処理部１１ａは、受信した印刷指示情報に基づいて、画像形成部１７を駆動させて、印刷指示情報で指定される大きさの用紙に画像を形成して排出する（Ｓ１０７）。
【００６３】
一方、Ｓ１０１において、ロール紙を合紙として排出することが選択されていない場合には、識別情報取得部１１ｂが、印刷指示情報や、印刷指示情報に付された各種情報（例えば、送信元アドレスなど）を参照して、識別情報を取得する（Ｓ１０８）。そして、合紙排出処理部１１ｇは、印刷指示情報によって画像を記録する用紙として指定された用紙と同サイズの定型用紙、又は、該定型用紙より大きい定型用紙に、識別情報を記録した後、合紙として排出する（Ｓ１０９）。その後、印刷処理部１１ａは、受信した印刷指示情報で指定される用紙に、当該印刷指示情報に基づく画像を形成して排出する（Ｓ１０７）。なお、ここでは、Ｓ１０６乃至Ｓ１０９において、合紙が排出された後、印刷物が排出されるものとして説明したが、印刷物が排出された後に、合紙が排出されるようにしてもよい。また、印刷指示情報が、複数部の印刷物の出力を指示するものである場合には、合紙は、各部の排出後又は排出前に排出されてもよい。
【００６４】
なお、本発明は、以上説明した画像形成装置１０に限られず種々の変形が可能である。
【００６５】
例えば、ロール紙選択処理部１１ｄは、印刷物の用紙サイズだけでなく、ロール紙の残量に基づいて、複数のロール紙から合紙として排出するロール紙を選択してもよい。具体的には、ロール紙選択処理部１１ｄは、印刷物の大きさだけに基づいて選択されたロール紙の残量が、カット長決定処理部１１ｅによって決定されたカット長に満たない場合には、改めてロール紙を選択し直す処理を行ってもよい。
【００６６】
例えば、図９に示すフローチャートのＳ１０４において、ロール紙のカット長が決定された後、ロール紙選択処理部１１ｄは、Ｓ１０２において選択したロール紙の残量が、カット長に足りているか否かを判定し、残量がカット長に足りない場合には、ロール紙選択処理部１１ｄは、最初に選択したロール紙より、幅の大きいロール紙を改めて選択してもよい。ここで、改めて選択したロール紙の残量もカット長に満たない場合や、最初に選択したロール紙より、幅の大きいロール紙が備えられていない場合には、印刷指示情報が印刷画像を形成する用紙として指定する定型用紙を、合紙として選択してもよい。
【００６７】
また、画像形成装置１０は、印刷指示情報によって指定される回数だけ印刷物を折り畳む紙折り機能を有する後処理装置を備えてもよい。そして、カット長決定処理部１１ｅは、折り畳まれた後の印刷物の縦サイズ（排出方向の長さ）に基づいて、カット長を決定してもよい。この場合、合紙排出処理部１１ｇは、当該決定されたカット長を示すカット長情報に基づいて、ロール紙を切断し、合紙排出タイミングにおいて、折り畳まれた印刷物が排出される後処理装置の排出トレイに、合紙を排出する。
【００６８】
図１０は、この場合に排出される合紙の例を示す図である。同図では、カット長決定処理部１１ｅが、識別情報の記録に要する目印領域Ｅ４の縦サイズＬ３に、折り畳まれた後の印刷物の縦サイズＬ４を加算して得られる値をカット長とする場合を例にしている。これにより、折り畳まれた印刷物が排出される場合に、ロール紙のカット長を減らすことができる。
【００６９】
なお、合紙の目印領域が、印刷物の排出方向に対して左側又は右側に設けられる場合には、カット長決定処理部１１ｅは、印刷物が折り畳まれているか否かに関わらず、カット長を決定してもよい。
【００７０】
図１１は、紙折りを指示する印刷指示情報を受信し、設定処理部１１ｃの処理において目印領域が印刷物の左側に設けられるよう設定される場合に、排出される合紙の例を示している。なお、同図では、Ａ３サイズの用紙Ｐ９に印刷を指示する印刷指示情報を受信した後、Ａ４サイズの用紙Ｐ１０を紙折りして出力することを指示する印刷指示情報を受信した場合に、排出される合紙の例が示されている。
【００７１】
同図に示すように、印刷物の左側に目印領域を設けるよう設定されている場合には、カット長決定処理部１１ｅは、印刷物が折り畳まれているか否かに関わらず、識別情報の情報量に応じて、カット長を決定してもよい。なお、この例では、ロール紙選択処理部１１ｄは、２つの印刷指示情報が指定する用紙サイズのうち、大きい方の用紙Ｐ９を基準にして、ロール紙が選択されている。その結果、当該基準とされた用紙Ｐ９より幅の大きいロール紙（ここではＡ２ロール紙）が合紙Ｐ１１として排出されている。
【００７２】
また、これまでの説明では、ロール紙が切断されて合紙として排出されていた。しかしながら、画像形成装置１０は、予め大きさの規定された定型用紙とは異なり、不定型の用紙を保持できる所謂手差しトレイを備えるようにしてもよい。そして、画像形成装置１０は、合紙排出タイミングで、該手差しトレイから用紙を取り出し、合紙として排出してもよい。
【００７３】
また、これまでの説明では、識別情報を取得する処理（識別情報取得部１１ｂによる処理）や、複数のロール紙からいずれかを選択する処理（ロール紙選択処理部１１ｄによる処理）、ロール紙のカット長を決定する処理（カット長決定処理部１１ｅによる処理）、識別情報の記録位置を特定する処理（記録位置特定処理部１１ｆによる処理）は、画像形成装置１０で実行されていた。しかしながら、例えば、ネットワークに、画像形成装置１０とは異なる情報処理装置を設け、該情報処理装置が、これらの処理を実行してもよい。
【００７４】
図１２は、この形態に係るネットワーク１００を示す構成図である。ネットワーク１００は、画像形成装置１０とともに、情報処理装置３０を備えている。
【００７５】
情報処理装置３０は、クライアント装置２０から印刷指示情報や、該印刷指示情報に付された情報（例えば、送信元アドレスなど）を取得する。そして、該印刷指示情報等に基づいて、上述した処理、具体的には、識別情報を取得する処理、複数のロール紙からいずれかを選択する処理、ロール紙のカット長を決定する処理、及び、識別情報の記録位置を特定する処理を実行する。そして、情報処理装置３０は、これらの処理によって生成したロール紙情報、カット長情報、識別情報、及び記録位置情報を、画像形成装置１０に送信する。その後、画像形成装置１０において、合紙排出処理部１１ｇは、受信したロール紙情報、カット長情報、識別情報、及び記録位置情報に基づいて、ロール紙供給部１５及び画像形成部１７を駆動して、合紙を排出してもよい。
【００７６】
また、制御部１１をここまで述べたように動作させるためのプログラムは、このプログラムを格納している情報記憶媒体（ＣＤ−ＲＯＭ、ＤＶＤ−ＲＯＭなど）から供給されるものであってもよいし、通信媒体（例えば、通信回線、通信システムのように、一時的または流動的にプログラムを保持する媒体）から供給されるものであってもよい。例えば、このプログラムは、このプログラムを掲示しているネットワーク上の電子掲示板（ＢＢＳ：Bulletin Board Service）から、通信回線を介して配信されるものであってもよい。
【図面の簡単な説明】
【００７７】
【図１】本発明の一実施形態に係る画像形成装置を含むネットワークの構成を示す図である。
【図２】上記画像形成装置の構成を示す該略図である。
【図３】上記画像形成装置が備える制御部の機能ブロック図である。
【図４】上記画像形成装置において排出される合紙の例を示す図である。
【図５】上記画像形成装置において排出される合紙の他の例を示す図である。
【図６】上記画像形成装置において表示される画面の例を示す図である。
【図７】上記画像形成装置において排出される合紙の他の例を示す図である。
【図８】制御部が実行する処理において決定されるカット長を説明するための図である。
【図９】上記制御部が実行する処理のフローチャートである。
【図１０】他の形態に係る画像形成装置において排出される合紙の例を示す図である。
【図１１】他の形態に係る画像形成装置において排出される合紙の例を示す図である。
【図１２】他の形態に係る画像形成装置を含むネットワークの構成を示す図である。
【符号の説明】
【００７８】
１  ネットワーク、１０  画像形成装置、１１  制御部、１２  記憶部、１３  インターフェース部、１４  定型紙供給部、１５  ロール紙供給部、１７  画像形成部、１８  表示部、１９  操作部、２０  クライアント装置、３０  情報処理装置、１００  ネットワーク。
【図１】
2008050151.tif 000003
【図２】
2008050151.tif 000004
【図３】
2008050151.tif 000005
【図４】
2008050151.tif 000006
【図５】
2008050151.tif 000007
【図６】
2008050151.tif 000008
【図７】
2008050151.tif 000009
【図８】
2008050151.tif 000010
【図９】
2008050151.tif 000011
【図１０】
2008050151.tif 000012
【図１１】
2008050151.tif 000013
【図１２】
2008050151.tif 000014